(57)【要約】【課題】要介護者と家族のコミニュケーションを図るため、要介護者の情報端末の操作の問題と音声主体の情報交換を、介護者を通じて画像音声、文字情報を付加する【解決手段】介護者用の画像音声、文字情報発信ソフトウェアの作成と送信情報の自動加エソフトウェアにより、インターネットを通じてＷＥＢ閲覧を可能とし、双方向の情報提供、閲覧を可能とする【選択図】  図１
2004171510.tif 000002
【特許請求の範囲】
【請求項１】
カメラ付携帯電話、カメラ付情報端末から送信された画像音声、文字情報を送信アドレス毎に自動的に振り分け、インターネットサーバー上の特定領域に保存し、閲覧を許可された人（要介護者及びその家族）が確認と情報登録を行えるシステム
【請求項２】
要介護者を介護する介護者及び病院またはセンター職員が、カメラ付携帯電話、もしくは携帯情報端末から要介護者の画像音声及び近況を報告することができ、かつ上記報告内容に診療検査結果データ及び所見コメントを付加することができるシステム
【発明の詳細な説明】
【０００１】
【発明の属する技術分野】
本発明は、モバイル情報端末機器とインターネット技術を利用し、要介護者とその家族のコミニュケーションを介護ヘルパー等の介護者を通して支援する、ソフトウェアシステムとサービスである
【０００２】
【従来の技術】
要介護者及びその家族がカメラ付携帯電話を利用し画像音声を直接送信している
【０００３】
【発明が解決しようとする課題】
従来の要介護者とその家族がカメラ付携帯電話で直接送受信を行う方法は、要介護者が情報端末を操作することが難しく、操作が可能であったとしても本人の直接情報であるため、健康状況、生活状況を客観的に把握することができないという問題点があった。
【０００４】
本発明は、要介護者と家族直接ではなく、介護ヘルパーや病院、センター職員等の介護者が仲介し、要介護者の画像音声及び要介護者の健康状況の報告を行う。この情報をインターネットサーバーに送信することにより、離れた家族がインターネットを通じて確認することができ、また返信を行うことができる。
【０００５】
【課題を解決するための手段】
上記目的を達成するために、本発明のシステムにおいては、カメラ付携帯電話及びカメラ付携帯情報端末用の撮影写真添付と健康、近況報告のための入力及び送信ソフトウェアを作成する
【０００６】
上記ソフトウェアを利用してインターネットサーバーに送信された情報をアドレス毎の領域に自動的に振り分け、ＷＥＢ閲覧可能なデータフォーマットに自動加工し、保管するシステムを作成する
【０００７】
上記送信データに健康診断結果、医師等のコメントを追加できるシステムを作成し、健康、医療状況報告を行えることとする
【０００８】
上記保管されたデータをインターネットを通じて遠隔地の家族が閲覧でき、家族側の画像音声、近況報告を登録返信できるシステムを作成する
【０００９】
上記の家族から送信された画像音声、近況報告をインターネットサーバー上でＷＥＢ閲覧できるデータフォーマットとし閲覧及び印刷できるシステムを作成する
【００１０】
【発明の実施の形態】
発明の実施の形態を実施例に基づき図面を参照して説明する。
図１は要介護者の状況、情報をその家族に伝える流れを表したものである。
【００１１】
１の老人ホーム、病院等の要介護者や自宅にいる要介護者の健康状態、生活状況を２の介護ヘルパーや老人ホーム、病院職員が３のカメラ付携帯電話または携帯情報端末を用いて画像音声及び状況コメントを送信する
【００１２】
３のカメラ付携帯電話、携帯情報端末では新たに作成したソフトウェアにより機器に付属のカメラで画像撮影と音声を録音しコメント入力を行う
【００１３】
作成した画像音声、コメントはインターネットを通じて５の所定のインターネットサーバーに送信する
【００１４】
５のインターネットサーバーでは、作成したサーバーソフトウェアにより送信されてきたメールアドレス及び宛先アドレスから、要介護者と家族が閲覧可能なインターネット上のフォルダに情報をＨＴＭＬ形式等で振り分け、保管する
【００１５】
４の医師や介護者は必要に応じ、健康診断の結果や治療情報をインターネットを通じ情報追記をおこなう
【００１６】
６の家族もしくは親族は、定められたアクセス方法により所定のフォルダを参照し、要介護者の画像音声と介護者の健康、生活に関するコメントを閲覧する
【００１７】
図２は要介護者の家族もしくは親族の状況、情報を要介護者に伝える流れを表したものである
【００１８】
７の家族もしくは親族は、家族の近況や要介護者へのメッセージを画像音声、文字情報をインターネットを通じて登録する
【００１９】
送信登録された８のインターネットサーバーソフトウェアは、インターネット上の要介護者毎のフォルダに受信情報を振り分け、ＨＴＭＬ形式等で保管する
【００２０】
９の要介護者は老人ホームや病院のパソコンにより、家族から送信された画像音声、近況情報を閲覧する
【００２１】
１０の２の介護ヘルパーやホーム、病院職員は、９のパソコンによる閲覧が難しい要介護者や自宅にいる要介護者に対し、ソフトウェアによりプリントアウトされた画像、近況情報を要介護者に提示もしくは配布する
【００２２】
１１の要介護者はプリントアウトされた家族の写真、近況情報を確認する
【００２３】
【発明の効果】
本発明は、以上説明したように構成されているので、以下に記載されるような効果を奏する
【００２４】
カメラ付携帯電話及び携帯情報端末用の介護者報告ソフトにより、簡単に要介護者の画像音声、近況報告を行うことができる
【００２５】
上記機器より送信された情報をインターネットサーバー用ソフトで自動処理を行うことにより、要介護者を有する家族に要介護者の近況を伝えることができる
【００２６】
家族は遠隔地の要介護者に関する情報をインターネットを通じて介護者の報告と共に知ることができる
【００２７】
家族は遠隔地の要介護者に対しインターネット及び紙等の媒体で介護者を通じ、家族の近況を知らせることができる
【００２８】
以上のような機器的、人的システムを構築することで、疎遠になりがちな要介護者とその家族のコミニュケーションを図ることが可能となる
【図面の簡単な説明】
【図１】要介護者から介護者、インターネットを通じて、家族に要介護者の画像音声、近況を報告する流れである
【図２】要介護者の家族からインターネット、介護者を通じて、要介護者に家族の近況を報告する流れである
【符号の説明】
１、９、１１  要介護者
２、１０  介護者
３  カメラ付携帯電話、カメラ付携帯情報端末
４  医師、介護者
５、８  インターネットサーバー
６、７  家族及び親族
【図１】
2004171510.tif 000003
【図２】
2004171510.tif 000004
【手続補正書】
【提出日】平成15年4月16日(2003.4.16)
【手続補正１】
【補正対象書類名】明細書
【補正対象項目名】特許請求の範囲
【補正方法】変更
【補正の内容】
【特許請求の範囲】
【請求項１】
カメラ付携帯電話、カメラ付情報端末から送信された画像音声、文字情報を送信アドレス毎に自動的に振り分け、インターネットサーバー上の特定領域に保存し、閲覧を許可された人（要介護者及びその家族）が確認と情報登録を行えるシステム
【請求項２】
要介護者を介護する介護者及び病院またはセンター職員が、カメラ付携帯電話、もしくは携帯情報端末から要介護者の画像音声及び近況を報告することができ、かつ上記報告内容に診療検査結果データ及び所見コメントを付加することができるシステム
【請求項３】
カメラ付携帯電話、カメラ付情報端末から送信された画像及び文字情報をインターネットサーバーを介してインターネットホームページの画像及び文字情報を自動的に追加、更新を行うシステム
１